(57)【特許請求の範囲】
【請求項１】
外郭ケースと、前記外郭ケース上面を構成し鍋を載置する天板と、前記天板下方に配置され前記鍋を誘導加熱する加熱コイルと、前記外郭ケース内部に設けられ前記加熱コイルに高周波電力を供給する回路ユニットと、前記加熱コイル及び前記回路ユニットに冷却風を送風する冷却ファンと、前記外郭ケース前面を覆う前パネルと、前記外郭ケース底面に設けられ、前記冷却ファンにより外気を前記本体に取り込むための吸気口部と、前記吸気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記第１吸気口カバーの左右に略Ｌ字断面形状の第１突起部を複数個設け、前記第１突起部により前記第２吸気口カバーの左右両側を保持し、前記第２吸気口カバーは前記外郭ケース前面の前記前パネル下から前記外郭ケース底面に略平行にスライドし挿抜可能な構成とした誘導加熱調理器。
【請求項２】
外郭ケースと、前記外郭ケース上面を構成し鍋を載置する天板と、前記天板下方に配置され前記鍋を誘導加熱する加熱コイルと、前記外郭ケース内部に設けられ前記加熱コイルに高周波電力を供給する回路ユニットと、前記加熱コイルおよび前記回路ユニットに冷却風を送風する冷却ファンと、前記外郭ケース前面を覆う前パネルと、前記外郭ケース底面に設けられ、前記冷却ファンにより外気を前記本体に取り込むための吸気口部と、前記吸気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記外郭ケース底面の左右に略Ｌ字断面形状の第２突起部を複数個設け、前記第２突起部により前記第２吸気口カバーの左右両側を保持し、前記第２吸気口カバーは前記外郭ケース前面の前記前パネル下から前記外郭ケース底面に略平行にスライドし挿抜可能な構成とした誘導加熱調理器。
【請求項３】
前記第２吸気口カバーは前記本体前面に向かって立ち上がり複数の穴が形成された傾斜面を有し、前記前パネルの下端と前記傾斜面の上端が一致するとともに、前記第２吸気口カバーを前面側に引き出すための指掛け部を形成する先端に下向きのリブ及び指先が納まる奥方に窪んだ凹部を傾斜面に設けた構成とした請求項１または２に記載の誘導加熱調理器。
【請求項４】
外郭ケースと、前記外郭ケース上面を構成し鍋を載置する天板と、前記天板下方に配置され前記鍋を誘導加熱する加熱コイルと、前記外郭ケース内部に設けられ前記加熱コイルに
高周波電力を供給する回路ユニットと、前記加熱コイル及び前記回路ユニットに冷却風を送風する冷却ファンと、前記外郭ケース底面に設けられ、前記冷却ファンにより外気を前記本体に取り込むための吸気口部と、前記吸気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記第２吸気口カバーは上面及び底面に略長方形の開口部を有し、前記両開口部は、前後方向に設け、前記底面から後方に向かって前記上面に立ち上がる傾斜面の間の空間で連通するように略格子状に構成した誘導加熱調理器。
【発明の詳細な説明】
【技術分野】
【０００１】
本発明は、一般家庭の台所や業務用厨房等で使用する、据え置き型の誘導加熱調理器に関するものである。
【背景技術】
【０００２】
従来この種の誘導加熱調理器は、吸気口の外側にＬ字状の引っ掛け部を対面して少なくとも１ヶ所ずつ設け、片側の引っ掛け部には反引っ掛け部方向に作用するバネを設け、この引っ掛け部間に防塵フィルタを固定する（例えば、特許文献１参照）。
【０００３】
図７、図８、図９は、特許文献１に記された従来の誘導加熱調理器を示すものである。図７、図８、図９に示すように、本体下面の吸気口３３の外側に、防塵フィルタ３７を着脱自在に取り付けたものである。吸気口３３の周囲に対面して設けた一対のＬ字状の引っ掛け部３４、３５にはめ込む形で着脱自在に取り付けている。引っ掛け部３５には、引っ掛け部３４方向に反作用する板状のバネ３６を設け、バネ３６の押圧力を利用して引っ掛け部３４、３５で防塵フィルタ３７を本体に支持固定する。このようにして本体底面の吸気口に着脱自在の防塵フィルタを支持固定する構成を得るものである。
【先行技術文献】
【特許文献】
【０００４】
【特許文献１】特開平８−３１５９７４号公報
【発明の概要】
【発明が解決しようとする課題】
【０００５】
しかしながら、上記従来の構成は本体底面の吸気口を覆う防塵フィルタを固定するものであり、防塵フィルタ装着時には、本体底面が見え、本体より下方から防塵フィルタを引っ掛けて装着するために空間を要する形状となっており、本体を傾けるなどの作業が必要となり、装着性の配慮がないという課題を有していた。
【０００６】
本発明は前記従来技術における課題を解決するもので、防塵フィルタの装着性を向上した誘導加熱調理器を提供することを目的とするものである。
【課題を解決するための手段】
【０００７】
前記従来の課題を解決するために、本発明の誘導加熱調理器は、外郭ケースと、前記外郭ケース上面を構成し鍋を載置する天板と、前記天板下方に配置され前記鍋を誘導加熱する加熱コイルと、前記外郭ケース内部に設けられ前記加熱コイルに高周波電力を供給する回路ユニットと、前記加熱コイル及び前記回路ユニットに冷却風を送風する冷却ファンと、前記外郭ケース前面を覆う前パネルと、前記外郭ケース底面に設けられ、前記冷却ファンにより外気を前記本体に取り込むための吸気口部と、前記吸気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記第１吸気口カバーの左右に第１突起部を複数個設け、前記第１突起部により前記第２吸気口カバーの左右両側を保持し、前記第２吸気口カバーは前記外郭ケース前面の前記前パネル下から前記外郭ケース底面に略平行にスライドし挿抜可能な構成とした。
【０００８】
これにより、第２吸気口カバーは、本体を設置したままの状態で、外郭ケース前面から外郭ケース底面に略平行に着脱することができ、装着性の向上を図ることができる。また、塵や埃の浸入を抑制するとともに第２吸気口カバーを保持するという２つの役割を第１吸気口カバーのみで実現することができる。
【発明の効果】
【０００９】
本発明の誘導加熱調理器は、第２吸気口カバーは、本体を設置したままの状態で、外郭ケース前面から外郭ケース底面に略平行に着脱することができ、装着性の向上を図ることができる。また、塵や埃の浸入を抑制するとともに第２吸気口カバーを保持するという２つの役割を第１吸気口カバーのみで実現することができる。
【図面の簡単な説明】
【００１０】
【図１】本発明の実施の形態１における誘導加熱調理器の斜視図
【図２】本発明の実施の形態１における第１吸気口カバーおよび第２吸気口カバーの斜視図
【図３】本発明の実施の形態１における第１吸気口カバーに第２吸気口カバーを装着したときの斜視図
【図４】本発明の実施の形態２における誘導加熱調理器の断面図
【図５】本発明の実施の形態３における第２吸気口カバーの斜視図
【図６】本発明の実施の形態４における誘導加熱調理器の断面図
【図７】従来例における誘導加熱調理器の断面図
【図８】従来例における誘導加熱調理器の要部斜視図
【図９】従来例における誘導加熱調理器の要部断面図
【発明を実施するための形態】
【００１１】
第１の発明は、外郭ケースと、前記外郭ケース上面を構成し鍋を載置する天板と、前記天板下方に配置され鍋を誘導加熱する加熱コイルと、前記外郭ケース内部に設けられ加熱コイルに高周波電力を供給する回路ユニットと、前記加熱コイル及び前記回路ユニットに冷却風を送風する冷却ファンと、前記外郭ケース前面を覆う前パネルと、前記外郭ケース底面に設けられ、前記冷却ファンにより外気を本体に取り込むための吸気口部と、前記吸気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記第１吸気口カバーの左右に略Ｌ字断面形状の第１突起部を複数個設け、前記第１突起部により前記第２吸気口カバーの左右両側を保持し、前記第２吸気口カバーは前記外郭ケース前面の前記前パネル下から前記外郭ケース底面に略平行にスライドし挿抜可能な構成とすることにより、第２吸気口カバーは、本体を設置したままの状態で、外郭ケース前面から外郭ケース底面に略平行に着脱することができ、装着性の向上を図ることができる。また、第１吸気口カバーは第２吸気口カバーの内側にあるため、塵や埃の付着が少なく、第２吸気口カバーは着脱自在であるため、容易に清掃できる。さらに、第１吸気口カバーは外郭ケース底面に固定されており、第２吸気口カバーを装着し忘れても、本体への塵や埃の浸入を抑制することができる。
【００１２】
また、第１吸気口カバーに第１突起部を設け、前記第１突起部により第２吸気口カバーを保持する構成とすることにより、塵や埃の浸入を抑制するとともに第２吸気口カバーを保持するという２つの役割を第１吸気口カバーのみで実現することができる。
【００１３】
第２の発明は、外郭ケースと、前記外郭ケース上面を構成し鍋を載置する天板と、前記天板下方に配置され鍋を誘導加熱する加熱コイルと、前記外郭ケース内部に設けられ加熱コイルに高周波電力を供給する回路ユニットと、前記加熱コイル及び前記回路ユニットに冷却風を送風する冷却ファンと、前記外郭ケース前面を覆う前パネルと、前記外郭ケース底面に設けられ、前記冷却ファンにより外気を本体に取り込むための吸気口部と、前記吸
気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記外郭ケース底面の左右に略Ｌ字断面形状の第２突起部を複数個設け、前記第２突起部により前記第２吸気口カバーの左右両側を保持し、前記第２吸気口カバーは前記外郭ケース前面の前記前パネル下から前記外郭ケース底面に略平行にスライドし挿抜可能な構成とすることにより、第２吸気口カバーは、本体を設置したままの状態で、外郭ケース前面から外郭ケース底面に略平行に着脱することができ、装着性の向上を図ることができる。また、第１吸気口カバーは第２吸気口カバーの内側にあるため、塵や埃の付着が少なく、第２吸気口カバーは着脱自在であるため、容易に清掃できる。さらに、第１吸気口カバーは外郭ケース底面に固定されており、第２吸気口カバーを装着し忘れても、本体への塵や埃の浸入を抑制することができる。また、第２吸気口カバーを保持するためだけに部品を別途設けることなく、第２吸気口カバーを保持する構成を実現することができる。
【００１５】
第３の発明は、特に、第１または第２の発明において、前記第２吸気口カバーは前記本体前面に向かって立ち上がり複数の穴が形成された傾斜面を有し、前記前パネルの下端と前記傾斜面の上端が一致するとともに、前記第２吸気口カバーを前面側に引き出すための指掛け部を形成する先端に下向きのリブ及び指先が納まる奥方に窪んだ凹部を前記傾斜面に設けた構成とすることにより、本体底面からの吸気に加え、傾斜面に設けた複数の穴により本体前面下方からも吸気することが可能になり、吸気能力の向上を図ることができる。また、第２吸気口カバーの着脱を容易に行うことができる。
【００１８】
第４の発明は、外郭ケースと、前記外郭ケース上面を構成し鍋を載置する天板と、前記
天板下方に配置され前記鍋を誘導加熱する加熱コイルと、前記外郭ケース内部に設けられ前記加熱コイルに高周波電力を供給する回路ユニットと、前記加熱コイル及び前記回路ユニットに冷却風を送風する冷却ファンと、前記外郭ケース底面に設けられ、前記冷却ファンにより外気を前記本体に取り込むための吸気口部と、前記吸気口部を覆うように構成され、前記外郭ケース底面に固定され、複数の穴が形成された第１吸気口カバーと、前記外郭ケースに保持され、前記第１吸気口カバーと対向に設けられ、複数の穴が形成された第２吸気口カバーと、を備え、前記第２吸気口カバーは上面及び底面に略長方形の開口部を有し、前記両開口部は、前後方向に設け、前記底面から後方に向かって前記上面に立ち上がる傾斜面の間の空間で連通するように略格子状に構成することにより、外気を本体内部に吸い込む際に、抵抗を軽減することができ、吸気能力をより一層高めることができる。
【００１９】
以下、本発明の実施の形態について、図面を参照しながら説明する。なお、この実施の形態によって本発明が限定されるものではない。
【００２０】
（実施の形態１）
図１は、本発明における第１の実施の形態における誘導加熱調理器の斜視図、図２は第１吸気口カバーおよび第２吸気口カバーの斜視図、図３は第２吸気口カバーを装着したときの斜視図を示す。
【００２１】
図１において、本体１はキッチン等の置き台に載置して使用する据え置き型のもので、本体１の側面、後面、底面は外郭ケース４により構成されている。本体１の上面は鍋を載置する、結晶化ガラスを素材とした天板２の周囲を金属の構成部材から成るトップフレーム３で囲んで覆われている。本体１内部には鍋を誘導加熱する誘導加熱手段を構成する加熱コイル５が配されている。
【００２２】
トップフレーム３下部で本体１の前面は、庫内にシーズヒーターを発熱体として備え、食材を加熱調理する加熱調理庫６の扉７と、扉７側方で本体前面を覆う前パネル１０とでその大部分を覆われている。扉７は把手を持って開閉操作する。前パネル１０内方には加熱コイル５に高周波電力を供給する回路ユニット８と、加熱コイル５と回路ユニット８などに冷却風を送風する冷却ファン９を回路ユニット８の前方に配置して備えている。
【００２３】
また、外郭ケース４の底面に、冷却ファン９に通じる吸気口部１１を設けている。吸気口部１１を覆うように構成され、外郭ケース４底面に固定されている第１吸気口カバー１２には複数の穴が設けられており、この穴を第２の吸気口１４としている。第１吸気口カバー１２の固定は、ビスを用い、外郭ケース４の底面にねじ止めして固定する。第１吸気口カバー１２に設けられた第２の吸気口１４である複数の穴は、本体１内に指が入り冷却ファンに触り怪我をすることがないように、指の太さを目安として、最大部寸法をおよそ１０ｍｍ以下の大きさとする。さらに、略格子状とし、およそ１０ｍｍ四方以下の穴とすれば、本体１内に浸入する塵や埃をより一層抑制することができる。吸気口部１１の形状は、本体１に対して外側に第１吸気口カバー１２が固定されており、指が入る恐れがないため、吸気口部１１の面積が第１吸気口カバー１２の大きさ以下であれば、穴は１つでも複数でも、また丸穴でも略格子状でも良いものとする。第１吸気口カバー１２には、金属板で構成された外郭ケース４の吸気口部１１などのエッジ部分を覆う役割がある。外郭ケース４底面に保持され、第１吸気口カバー１２と対向に設けられている第２吸気口カバー１３にも複数の穴が設けられており、この穴を第３の吸気口１５としている。第２吸気口
カバー１３に設けられた第３の吸気口１５である複数の穴は、第２の吸気口１４と同様に、本体１内に指が入り冷却ファンに触り怪我をすることがないように、指の太さを目安として、最大部寸法をおよそ１０ｍｍ以下の大きさとする。さらに、略格子状とし、およそ１０ｍｍ四方以下の穴とすれば、本体１内に浸入する塵や埃をより一層抑制することができる。
【００２４】
図１、図２、図３において、第２吸気口カバー１３の保持は、外郭ケース４の底面に固定された第１吸気口カバー１２に、本体１前面から見て略Ｌ字断面形状の第１突起部１７を複数個設け、保持する構成としている。第２吸気口カバー１３は外郭ケース４の前面から外郭ケース４の底面に略平行にスライドし、複数個設けた第１突起部１７により図３のように保持し、着脱自在な構成としている。これにより、第２吸気口カバー１３は、本体１を設置したままの状態で、本体１前面から着脱することができる。さらに、第１吸気口カバー１２を外郭ケース４底面に固定することで、第２吸気口カバー１３を装着し忘れた状態でも、本体１への塵や埃の浸入を抑制することができる。また、第２吸気口カバー１３を保持するという２つの役割を第１吸気口カバー１２のみで実現することができる。
【００２５】
また、同様に、外郭ケース４底面に本体１前面から見て略Ｌ字断面形状の第２突起部（図示せず）を複数個設け、保持する構成とすることにより、第２吸気口カバー１３は外郭ケース４の前面から外郭ケース４の底面に略平行にスライドし、複数個設けた第２突起部により保持し、着脱自在な構成とすることができる。これにより、第２吸気口カバー１３は、本体１を設置したままの状態で、本体１前面から着脱することができる。さらに、第２吸気口カバーを保持するためだけに部品を別途設けることなく、第２吸気口カバー１３を保持する構成を実現することができる。
【００２６】
第２吸気口カバー１３を装着している状態において、外気はまず、第２吸気口カバー１３に設けられた第３の吸気口１５を通り、続いて第１吸気口カバー１２に設けられた第２の吸気口１４を通り、外郭ケース４の底面に設けられた吸気口部１１を通り冷却ファン９に取り込まれ、冷却風として、加熱コイル５および回路ユニット８などを冷却するために送風される。
【００２７】
また、図２のように、第３の吸気口１５を構成する穴を、第２の吸気口１４を構成する穴よりも細かくすることにより、外気を吸気する際に付着する埃や塵が、外側にある第２吸気口カバー１３に付着しやすくなり、これに比べ第１吸気口カバー１２に付着しにくくなる。第２吸気口カバー１３は着脱自在な構成であり、本体１から取り外して清掃することができ、本体１に固定してある第１吸気口カバー１２に埃や塵が付着しにくくすることで、長期間使用時において本体１内に浸入する埃や塵を軽減することができる。本体１内に浸入する埃や塵は、回路ユニット８に付着して水分や油などを吸収しトラッキング現象を起こしうるため、本体内に浸入する埃や塵を軽減することは品質の向上につながる。
【００２８】
さらに、図１のように第３の吸気口１５を構成する穴と、第２の吸気口１４を構成する穴の形状を略格子状とし、同一の形状とすることで、外気を吸気する際に付着する埃や塵が、外側にある第２吸気口カバー１３に付着しやすくなり、これに比べ第１吸気口カバー１２に付着しにくくなるとともに、加えて第３の吸気口１５を構成する穴と、第２の吸気口１４を構成する穴の形状が同一であり吸気面積が等しいため、外気が第３の吸気口１５を通り、第２の吸気口１４を通る際に吸気能力が軽減することを抑制することができる。これにより、吸気能力の向上が図れ、冷却性能が向上するため、加熱コイルおよび回路ユニットなどが高温になり破損することを抑制でき品質の向上につながる。
【００２９】
（実施の形態２）
図４は本発明における第２の実施の形態における誘導加熱調理器の断面図を示す。なお
、本実施の形態の基本構成は実施の形態１と同じなので、異なる点を中心に説明する。また、実施の形態１と同じ要素には同じ符号を付し、その説明は省略する。
【００３０】
前記実施の形態１と異なるのは、図４のように、本体前面を構成する前パネル１０を備え、第２吸気口カバー１３は本体１前面に向かって立ち上がり、第４の吸気口１６を構成する複数の穴が形成された傾斜面２０を有し、前パネル１０の下端と傾斜面２０の上端が一致する構成とした点である。これによって本体１底面からの吸気に加え、傾斜面２０に設けた第４の吸気口１６により本体１前面下方からも吸気することが可能になり、吸気能力の向上を図ることができる。また、前パネル１０の下端と傾斜面２０の上端が一致する構成とすることにより、外気を本体１前面下方から吸気するにあたり、前パネル１０と第２吸気口カバー１３の傾斜面２０との隙間が殆どなくなり、本体１内に埃や塵が前パネル１０と傾斜面２０との隙間から吸い込まれ浸入することを抑制することができる。第４の吸気口１６を、略格子状で、およそ１０ｍｍ四方以下の形状などにしておけば、本体１内に埃や塵が浸入することをさらに抑制することができる。
【００３１】
さらに、傾斜面２０を設けることにより、本体１前面から、第２吸気口カバー１３装着時には傾斜面２０が確認でき、未装着時には傾斜面２０が欠落していることにより、第２吸気口カバー１３が未装着であることを確認できるため、容易に第２吸気口カバー１３の装着の有無を確認できる。
【００３２】
（実施の形態３）
図５は本発明における第３の実施の形態における第２吸気口カバーの斜視図を示す。なお、本実施の形態の基本構成は実施の形態１と同じなので、異なる点を中心に説明する。また、実施の形態１と同じ要素には同じ符号を付し、その説明は省略する。
【００３３】
図１および図４のように、第２吸気口カバー１３は本体１の前面側から後方に向けて挿入されることにより第１吸気口カバー１２または外郭ケース４底面に装着されており、図５のように本体１前面に露出する傾斜面２０には、第４の吸気口１６に挟まれた略中央部分に、第２吸気口カバー１３を取り外し時に指先を引っ掛ける指掛け部２１の外形を傾斜面２０と一致させ奥方に窪んだ凹部２２として指先が納まる空間とし、先端を下向きのリブ状として設けている。第２吸気口カバー１３は、指先を凹部２２に入れるように指掛け部２１に引っ掛けて本体１の前方方向に引き出すことで第１吸気口カバー１２または外郭ケース４底面から取り外すことができる。
【００３４】
また、図５のように指掛け部２１の外形を傾斜面２０と一致させ、傾斜面２０より前方に出ないので、本体１を調理などで使用時に不意に指掛け部２１に触れることが低減され、意図せず第２吸気口カバー１３を外してしまうことを防ぐ。
【００３５】
第４の吸気口１６に挟まれた略中央部分に、指掛け部２１の上辺と第４の吸気口１６の上辺とをほぼ一致させて奥部を凹部２２として配するので、外面が変化している凹部２２を目印に第２吸気口カバー１３を取り外す際に指先を引っ掛けて引っ張ることで、取り外し動作をする部分が容易に判り、第２吸気口カバー１３の着脱操作を迷わずに簡単に行うことができる。また、第２吸気口カバー１３の第４の吸気口１６範囲の上辺と指掛け部２１の上辺とがほぼ一致するので、引っ掛け部が目立たない外観とできる。
【００３６】
第２吸気口カバー１３を構成する傾斜面２０に設けた指掛け部２１奥方の凹部２２を形成する凹部壁面２３には、本体１の内部に通じる穴を設けないようにしてある。
【００３７】
これにより、凹部２２からは直接本体１内に吸気される経路はないので、第２吸気口カバー１３を取り外し時に指先が触れる、指掛け部２１とその奥方の凹部２２には埃が堆積
しにくく、第２吸気口カバー１３取り外し時に指先が埃に触れることが少なく、快適に第２吸気口カバー１３を取り外すことができる。
【００３８】
（実施の形態４）
図６は本発明における第４の実施の形態における誘導加熱調理器の断面図を示す。なお、本実施の形態の基本構成は実施の形態１と同じなので、異なる点を中心に説明する。また、実施の形態１と同じ要素には同じ符号を付し、その説明は省略する。
【００３９】
図５、図６において、第２吸気口カバー１３は上面および底面に略長方形の開口部を備え、両開口部は、対向する開口を前後方向にずらして底面側の開口を上面側より前に設け、底面から後方に向かって上面に立ち上がる傾斜面の間の空間で本体１の内と外とを連通するように略格子状に構成している。冷却ファン９は第３の吸気口１５よりも本体１後方にあり、後方に向かって立ち上がる傾斜面を形成することで、外気を本体１内部に吸い込む際に、抵抗を軽減することができる。傾斜面を設けない場合、外気は第３の吸気口１５を通り、本体内に上方向に浸入した後、冷却ファン９により本体１後方向に吸い込まれるので、経路は上方向と後方向となる。これに対し、傾斜面を設けることで、外気は冷却ファン９により本体後上の斜め方向に吸い込まれるため、吸気の際の圧力損失を抑制することができる。
【産業上の利用可能性】
【００４０】
以上のように、本発明にかかる誘導加熱調理器は、防塵フィルタである第２吸気口カバーを、本体を設置したままの状態で、外郭ケース前面から外郭ケース底面に略平行に着脱することができるので、防塵フィルタを有する調理機器等の用途にも適用できる。
【符号の説明】
【００４１】
１  本体
２  天板
３  トップフレーム
４  外郭ケース
５  加熱コイル
６  加熱調理庫
７  扉
８  回路ユニット
９  冷却ファン
１０  前パネル
１１  吸気口部
１２  第１吸気口カバー
１３  第２吸気口カバー
１４  第２の吸気口
１５  第３の吸気口
１６  第４の吸気口
１７  第１突起部
２０  傾斜面
２１  指掛け部
２２  凹部
２３  凹部壁面
３３  吸気口
３４  引っ掛け部
３５  引っ掛け部
３６  バネ
３７  防塵フィルタ
【図１】
0005487879.tif 000002
【図２】
0005487879.tif 000003
【図３】
0005487879.tif 000004
【図４】
0005487879.tif 000005
【図５】
0005487879.tif 000006
【図６】
0005487879.tif 000007
【図７】
0005487879.tif 000008
【図８】
0005487879.tif 000009
【図９】
0005487879.tif 000010